(57)【要約】【課題】迷光に起因するオフセット成分の発生を防止し、対物レンズのレンズシフトに起因するオフセット成分が取り除かれた良好なトラッキングエラー信号を得ることができる光ピックアップ、及びディスク装置を提供する。【解決手段】回折光学素子の第１及び第２回折部の各０次回折光に基づいて主受光部信号が生成され、第２回折部の±１次回折光のうちの少なくとも一方に基づいて副受光部信号が生成される。トラッキングエラー信号は主受光部信号及び副受光部信号に基づいて生成される。さらに、情報の読み取り又は書き込み処理が行われる第１記録層以外の記録層から反射される第１及び第２迷光が、回折光学素子の第１及び第２遮光部により、少なくとも光検出部の副受光部に入射しないようにされる。【選択図】図４
2014044780.tif 000002
【特許請求の範囲】
【請求項１】
光ディスクに光を集光する対物レンズと、
情報の読み取り又は書き込みが行われる前記光ディスクの第１記録層で反射された戻り光の０次光の一部、及び前記戻り光の±１次光を回折する第１回折部と、前記０次光の残りの一部を回折する第２回折部と、を有する回折光学素子と、
前記第１回折部及び前記第２回折部から入射する各０次回折光に基づいて主受光部信号を生成する主受光部と、前記第２回折部から入射する±１次回折光のうちの少なくとも一方に基づいて副受光部信号を生成する副受光部と、を有する光検出部と、
前記主受光部信号及び前記副受光部信号に基づいてトラッキングエラー信号を生成する信号処理部と、を備え、
前記回折光学素子はさらに、前記第１記録層よりも前記光ディスクの光入射表面から遠い側に設けられた前記光ディスクの第２記録層から反射される第１迷光を前記光検出部に入射させないようにするための第１遮光部と、前記第１記録層よりも前記光入射表面に近い側に設けられた前記光ディスクの第３記録層から反射される第２迷光を少なくとも前記光検出部の前記副受光部に入射させないようにするための第２遮光部と、を有することを特徴とする光ピックアップ。
【請求項２】
前記第１遮光部の形状は、前記対物レンズのレンズシフト方向に対応する方向が長手方向となる略矩形状であることを特徴とする請求項１に記載の光ピックアップ。
【請求項３】
前記第２遮光部は、前記戻り光が前記回折光学素子に入射する方向から見た平面視において、四辺形状、円形状、及び楕円形状のうちのいずれか１つの形状の領域の外側領域に設けられることを特徴とする請求項１又は請求項２に記載の光ピックアップ。
【請求項４】
前記第２遮光部は、前記平面視において、２つの対角線のうちの一方が前記対物レンズのレンズシフト方向に対応する方向と略平行となる平行四辺形状、又は、長径が前記レンズシフト方向に対応する方向と略平行となる楕円形状の領域の外側領域に設けられることを特徴とする請求項３に記載の光ピックアップ。
【請求項５】
前記対物レンズのレンズシフト方向において、前記対物レンズを予め設定した基準位置に移動させることにより、前記回折光学素子と前記光検出器との間の位置調整を行うことを特徴とする請求項１〜請求項４のいずれかに記載の光ピックアップ。
【請求項６】
請求項１〜請求項５のいずれかに記載の光ピックアップを備えることを特徴とするディスク装置。
【発明の詳細な説明】
【技術分野】
【０００１】
本発明は、光ディスクに記録される情報の読み取りや光ディスクへの情報の書き込みを行う際に用いられる光ピックアップ、及びこの光ピックアップを備えるディスク装置に関する。
【背景技術】
【０００２】
従来、ＢＤ（Blu-ray Disc）、ＤＶＤ（Digital Versatile Disc）、ＣＤ（Compact Disc）などの光ディスクに対して、情報の読み取りや書き込みを行う光ピックアップが知られている。この光ピックアップでは、光源から出射される光が、対物レンズにより光ディスクの記録層に集光される。
【０００３】
光ピックアップにより、光ディスクに情報を読み取り又は書き込む場合には、対物レンズにより記録層に集光される光スポットが光ディスクに形成されるトラックに常に追従するようにトラッキング制御する必要がある。そのため、光ピックアップでは、光検出器から出力される信号に基づいて、光スポットと目標のトラックとのずれ量を表すトラッキングエラー信号が算出される。そして、対物レンズのトラッキング方向の位置をレンズシフト移動させる制御（トラッキング制御）がトラッキングエラー信号に基づいて行われる。
【０００４】
トラッキングエラー信号を算出する方法としては、従来、ＰＰ（Push-Pull）法、ＤＰＰ（Differential Push-Pull）法などが知られている。特に、ＤＰＰ法は、対物レンズのトラッキング方向へのレンズシフトに起因するオフセット成分の影響を抑制してトラッキングエラー信号を得ることができるため、従来の光ピックアップに広く採用されている。ところが、ＤＰＰ法では、光源から出射される光を回折格子（グレーディング）により主光と２つの副光とからなる３つの光に分けて光ディスクに照射する。そのため、たとえばＰＰ法と比べて、光の利用効率が低い。また、光ピックアップの構成も複雑となる。
【０００５】
これらの点を改善すべく、ＤＰＰ法よりも簡単な構成で光の利用効率をより高めた方法でトラッキングエラー信号を得るための光ピックアップが開発されている。たとえば特許文献１の光ピックアップでは、回折光学素子の主回折領域にて光ディスクからの反射光の０次光の一部及び±１次光が回折され、副回折領域にて０次光の他の一部が回折される。光検出部の主受光部では、主回折領域及び副回折領域からの各０次回折光が受光され、主プッシュプル信号が生成される。副受光部では、副回折領域からの±１次回折光が受光され、副プッシュプル信号が生成される。そして、主プッシュプル信号から増幅した副プッシュプル信号を除くことにより、トラッキングエラー信号が生成される。
【先行技術文献】
【特許文献】
【０００６】
【特許文献１】国際公開２０１１／０８６９５１号公報
【発明の概要】
【発明が解決しようとする課題】
【０００７】
しかしながら、光ディスクには、単一の記録層を有する単層タイプの他に、複数の記録層を有する多層タイプがある。この多層タイプの光ディスクにて情報の読み取り又は書き込み処理が行われる場合、その処理が行われている記録層とは異なる記録層で反射された光が迷光として光検出器に入射する。この迷光が光検出器で受光されると、トラッキングエラー信号に迷光に起因するオフセット成分が発生するため、良好なトラッキングエラー信号を得ることができなくなる。
【０００８】
このような問題に対し、特許文献１では、回折光学素子に、主回折領域を挟んで設けられる２つの矩形の副回折領域の両外側に矩形の遮光領域を設けることにより、光検出器への迷光の入射を低減している。ところが、この遮光領域では、情報の読み取り処理又は書き込み処理が行われる記録層よりも光ディスクの光入射表面に近い側の記録層からの迷光の一部は遮光できるが、光入射表面から遠い側の記録層からの迷光は遮光できない。従って、特許文献１では、迷光に起因するオフセット成分がトラッキングエラー信号に発生することを十分に防止することはできない。
【０００９】
本発明は、このような状況を鑑みてなされたものであり、迷光に起因するオフセット成分の発生を防止し、対物レンズのレンズシフトに起因するオフセット成分が取り除かれた良好なトラッキングエラー信号を得ることができる光ピックアップ、及びディスク装置を提供することを目的とする。
【課題を解決するための手段】
【００１０】
上記目的を達成するために本発明の光ピックアップは、光ディスクに光を集光する対物レンズと、情報の読み取り又は書き込みが行われる前記光ディスクの第１記録層で反射された戻り光の０次光の一部、及び前記戻り光の±１次光を回折する第１回折部と、前記０次光の残りの一部を回折する第２回折部と、を有する回折光学素子と、前記第１回折部及び前記第２回折部から入射する各０次回折光に基づいて主受光部信号を生成する主受光部と、前記第２回折部から入射する±１次回折光のうちの少なくとも一方に基づいて副受光部信号を生成する副受光部と、を有する光検出部と、前記主受光部信号及び前記副受光部信号に基づいてトラッキングエラー信号を生成する信号処理部と、を備え、前記回折光学素子はさらに、前記第１記録層よりも前記光ディスクの光入射表面から遠い側に設けられた前記光ディスクの第２記録層から反射される第１迷光を前記光検出部に入射させないようにするための第１遮光部と、前記第１記録層よりも前記光入射表面に近い側に設けられた前記光ディスクの第３記録層から反射される第２迷光を少なくとも前記光検出部の前記副受光部に入射させないようにするための第２遮光部と、を有することを特徴とする。
【００１１】
この構成によれば、回折光学素子の第１及び第２回折部の各０次回折光に基づいて主受光部信号が生成され、第２回折部の±１次回折光のうちの少なくとも一方に基づいて副受光部信号が生成される。トラッキングエラー信号は主受光部信号及び副受光部信号に基づいて生成される。さらに、情報の読み取り又は書き込み処理が行われる第１記録層以外の記録層から反射される第１及び第２迷光が、回折光学素子の第１及び第２遮光部により、少なくとも光検出部の副受光部に入射しないようにされる。そのため、第１及び第２迷光に起因するオフセット成分がトラッキングエラー信号に発生することを防止することができる。よって、迷光に起因するオフセット成分の発生を防止し、対物レンズのレンズシフトに起因するオフセット成分が取り除かれた良好なトラッキングエラー信号を得ることができる。
【００１２】
上記構成において、前記第１遮光部の形状は、前記対物レンズのレンズシフト方向に対応する方向が長手方向となる略矩形状であってもよい。
【００１３】
こうすれば、対物レンズのレンズシフトに伴って第１迷光が移動しても、第１遮光部により、第１迷光が光検出器に入射しないようにすることができる。
【００１４】
また、上記構成において、前記第２遮光部は、前記戻り光が前記回折光学素子に入射する方向から見た平面視において、四辺形状、円形状、及び楕円形状のうちのいずれか１つの形状の領域の外側領域に設けられてもよい。
【００１５】
こうすれば、戻り光が第２遮光部と重なる位置を越えて対物レンズがレンズシフトした場合の主受信部信号の強度の変化率を大きくすることができる。従って、対物レンズをレンズシフトさせる際の基準位置が設定し易くなる。
【００１６】
また、上記構成において、前記第２遮光部は、前記平面視において、２つの対角線のうちの一方が前記対物レンズのレンズシフト方向に対応する方向と略平行となる平行四辺形状、又は、長径が前記レンズシフト方向に対応する方向と略平行となる楕円形状の領域の外側領域に設けられてもよい。
【００１７】
こうすれば、戻り光が第２遮光部と重なる位置を越えて対物レンズがレンズシフトした場合の主受信部信号の強度の変化率をより大きくすることができる。従って、対物レンズをレンズシフトさせる際の基準位置がより設定し易くなる。
【００１８】
また、上記構成において、前記対物レンズのレンズシフト方向において、前記対物レンズを予め設定した基準位置に移動させることにより、前記回折光学素子と前記光検出器との間の位置調整を行ってもよい。
【００１９】
こうすれば、レンズシフトの際、対物レンズを予め設定した基準位置にオフセット移動させるだけで回折光学素子と光検出器との間の位置調整ができる。従って、回折光学素子のレンズシフト方向の位置調節を行う機構を設ける必要がないため、光ピックアップの構成を簡易化することができる。
【００２０】
また、上記目的を達成するために本発明のディスク装置は、上述の光ピックアップを備えることを特徴とする。
【００２１】
この構成によれば、回折光学素子の第１及び第２回折部の各０次回折光に基づいて主受光部信号が生成され、第２回折部の±１次回折光のうちの少なくとも一方に基づいて副受光部信号が生成される。トラッキングエラー信号は主受光部信号及び副受光部信号に基づいて生成される。さらに、情報の読み取り又は書き込み処理が行われる第１記録層以外の記録層から反射される第１及び第２迷光が、回折光学素子の第１及び第２遮光部により、少なくとも光検出部の副受光部に入射しないようにされる。そのため、第１及び第２迷光に起因するオフセット成分がトラッキングエラー信号に発生することを防止することができる。よって、迷光に起因するオフセット成分の発生を防止し、対物レンズのレンズシフトに起因するオフセット成分が取り除かれた良好なトラッキングエラー信号を得ることができる。
【発明の効果】
【００２２】
本発明によれば、迷光に起因するオフセット成分の発生を防止し、対物レンズのレンズシフトに起因するオフセット成分が取り除かれた良好なトラッキングエラー信号を得ることができる光ピックアップ、及びディスク装置を提供することができる。
【図面の簡単な説明】
【００２３】
【図１】本実施形態の光ピックアップの構成図である。
【図２】光ディスクに対する第１及び第２対物レンズの配置を示す概略平面図である。
【図３】ホログラム素子に入射する戻り光の状態を示す概略平面図である。
【図４】本実施形態のホログラム素子の構成例を示す概略平面図である。
【図５】本実施形態のフォトディテクタの構成例を示す概略平面図である。
【図６】比較例のホログラム素子の構成を示す概略平面図である。
【図７】比較例におけるフォトディテクタの受光パターンを示す概略平面図である。
【図８】本実施形態におけるフォトディテクタの受光パターンを示す概略平面図である。
【図９】第２対物レンズが一方の方向にレンズシフトしたときのホログラム素子に対する戻り光の入射状態を示す概略平面図である。
【図１０】第２対物レンズが他方の方向にレンズシフトしたときのホログラム素子に対する戻り光の入射状態を示す概略平面図である。
【図１１】第２対物レンズのレンズシフト方向の位置に対する主受光部信号の強度の変化率を示すグラフである。
【図１２】本実施形態のホログラム素子の他の構成例を示す概略平面図である。
【図１３】本実施形態のホログラム素子の他の構成例を示す概略平面図である。
【発明を実施するための形態】
【００２４】
以下に、図面を参照して、本発明の実施形態を説明する。本実施形態の光ピックアップ１は、光ディスクＤに対して情報の読み取り処理及び／又は書き込み処理を行うためのデバイスである。光ピックアップ１は、たとえば、ＢＤレコーダ、ＤＶＤレコーダ、ＢＤプレイヤ、ＤＶＤプレイヤなどのディスク装置に搭載される。光ピックアップ１に利用可能な光ディスクＤの種類としては、たとえば、単層タイプ又は２層タイプのＢＤ（Blu-ray Disc）又はＤＶＤ（Digital versatile Disc）、３層以上の記録層を有するＢＤＸＬ（登録商標）、ＣＤ（Compact Disc）などを挙げることができる。
【００２５】
図１は、本実施形態の光ピックアップの構成図である。図１に示すように、本実施形態の光ピックアップ１は、第１半導体レーザ素子１１ａと、第２半導体レーザ素子１１ｂと、１／２波長板１２と、ビームスプリッタ１３と、偏光ビームスプリッタ１４と、１／４波長板１５と、コリメートレンズ１６と、第１立ち上げミラー１７ａと、第２立ち上げミラー１７ｂと、第１対物レンズ１８ａと、第２対物レンズ１８ｂと、フロントモニタフォトディテクタ１９と、ホログラム素子２０と、シリンドリカルレンズ２１と、フォトディテクタ２２と、信号処理部２３と、を備える。
【００２６】
第１半導体レーザ素子１１ａは、ＤＶＤ用のレーザ光を出射する第１光源であり、たとえば波長６５０ｎｍ帯のレーザ光を出射する。第２半導体レーザ素子１１ｂは、ＢＤ用のレーザ光を出射する第２光源であり、たとえば波長４０５ｎｍ帯のレーザ光を出射する。
【００２７】
１／２波長板１２は、ＤＶＤ用のレーザ光のＳ偏光（又はＰ偏光）をＰ偏光（又はＳ偏光）に変換する。ビームスプリッタ１３は、入射するレーザ光の一部を反射し、他の一部を透過させる。
【００２８】
偏光ビームスプリッタ１４は、入射するレーザ光のＳ偏光（又はＰ偏光）を反射し、Ｐ偏光（又はＳ偏光）を透過させる。なお、偏光ビームスプリッタ１４は、ＢＤ用のレーザ光に作用する光学部材であり、ＤＶＤ用のレーザ光はその偏光状態（Ｓ偏光であるかＰ偏光であるか）にかかわらず透過する。１／４波長板１５は、レーザ光の直線偏光（Ｓ偏光、Ｐ偏光）を円偏光に変換し、円偏光を直線偏光に変換する。
【００２９】
コリメートレンズ１６は、レーザ光の収束発散状態を変更可能とするために、レーザ光の光軸方向（図１の左右方向Ｍ）に移動可能に設けられている。コリメートレンズ１６の位置は、光ディスクＤの種類や、レイヤージャンプ等に応じて適宜移動される。これにより、光ピックアップ１では、球面収差の影響が適切に抑制される。
【００３０】
第１及び第２立ち上げミラー１７ａ、１７ｂはダイクロイックミラーである。第１立ち上げミラー１７ａは、コリメートレンズ１６を通過したＤＶＤ用のレーザ光を第１対物レンズ１８ａへと反射する。なお、第１立ち上げミラー１７ａでは、ＢＤ用のレーザ光は透過可能となっている。第２立ち上げミラー１７ｂは、コリメートレンズ１６及び第１立ち上げミラー１７ａを通過したＢＤ用のレーザ光を第２対物レンズ１８ｂへと反射する。
【００３１】
第１対物レンズ１８ａは、第１立ち上げミラー１７ａの上方に配置されており、第１立ち上げミラー１７ａから入射するＤＶＤ用のレーザ光を光ディスクＤの記録層に集光する。また、第２対物レンズ１８ｂは、第２立ち上げミラー１７ｂの上方に配置されており、第２立ち上げミラー１７ｂから入射するＢＤ用のレーザ光を光ディスクＤの記録層に集光する。
【００３２】
図２は、光ディスクに対する第１及び第２対物レンズの配置を示す概略平面図である。図２に示すように、第１及び第２対物レンズ１８ａ、１８ｂは、光ディスクＤのタンジェンシャル方向に並列配置されている。なお、タンジェンシャル方向は、光ディスクＤの記録層に形成される同心円状又は螺旋状のトラックの略接線方向である。光ディスクＤの主面の法線方向から見た平面視において、第１対物レンズ１８ａは、光ディスクＤの回転中心Ｏを通る基準面Ａ上にその中心が載る位置に配置されている。また、第２対物レンズ１８ｂは、基準面Ａからタンジェンシャル方向にずれた位置に配置されている。この基準面Ａは、光ディスクＤの主面に垂直であるとともに、光ディスクＤのラジアル方向に平行である。なお、ラジアル方向は、タンジェンシャル方向と略垂直な方向である。第１及び第２対物レンズ１８ａ、１８ｂは、トラッキング制御される際、ラジアル方向に駆動（レンズシフト）される。そのため、第１及び第２対物レンズ１８ａ、１８ｂのレンズシフト方向Ｘはラジアル方向に略平行である。
【００３３】
フロントモニタフォトディテクタ１９は、第１及び第２半導体レーザ素子１１ａ、１１ｂから出射されるレーザ光のレーザパワーを検出するための光検出部であり、受光したＤＶＤ用又はＢＤ用のレーザ光から光電変換信号を生成する。この光電変換信号に基づいて、制御部（不図示）により、第１及び第２半導体レーザ素子１１ａ、１１ｂのレーザパワーが制御される。
【００３４】
ホログラム素子２０は、光ディスクＤの記録層にて反射された光を回折する回折光学素子である。なお、以下では、光ディスクＤで反射される各レーザ光の反射光を戻り光Ｒと呼ぶ。このホログラム素子２０の詳細な構成については、後述する。
【００３５】
シリンドリカルレンズ２１は、ＤＶＤ用又はＢＤ用のレーザ光の戻り光Ｒから非点収差法によりフォーカスエラー信号を得るために、シリンドリカル面が設けられたセンサーレンズである。ホログラム素子２０にて回折された回折光はシリンドリカルレンズ２１を介してフォトディテクタ２２に入射する。
【００３６】
フォトディテクタ２２は、受光した光信号（ホログラム素子２０で回折された回折光）を電気信号（光電変換信号）に変換する光電変換手段として機能する光検出部である。フォトディテクタ２２は、主受光部２２１及び２つの副受光部２２２を含んで構成される（後述の図５参照）。なお、フォトディテクタ２２の詳細な構成については、後述する。フォトディテクタ２２から出力された光電変換信号は、信号処理部２３に送られる。
【００３７】
信号処理部２３は、フォトディテクタ２２の出力信号（たとえば、後述する主受光部信号及び副受光部信号）に基づいて、再生信号、フォーカスエラー信号、トラッキングエラー信号ＴＥなどを生成する。なお、信号処理部２３で生成されたフォーカスエラー信号及びトラッキングエラー信号ＴＥは光ピックアップ１の制御部（不図示）に出力される。光ピックアップ１の制御部（不図示）は、フォーカスエラー信号及びトラッキングエラー信号ＴＥに基づいて、フォーカシング制御及びトラッキング制御を行うべく、アクチュエータ（不図示）に第１及び第２対物レンズ１８ａ、１８ｂを駆動させる。
【００３８】
図１のように構成される光ピックアップ１では、第１又は第２半導体レーザ素子１１ａ、１１ｂから出射されるレーザ光を光ディスクＤに導くとともに、光ディスクＤで反射される戻り光Ｒをフォトディテクタ２２に導く光路が形成されている。以下に、各レーザ光の光路について説明する。
【００３９】
まず、ＤＶＤ用の光路について説明する。第１半導体レーザ素子１１ａからＤＶＤ用のレーザ光が出射され、ＤＶＤ用のレーザ光のＳ偏光が１／２波長板１２によってＰ偏光に変換される。このＰ偏光は、ビームスプリッタ１３にて反射され、偏光ビームスプリッタ１４を通過した後、１／４波長板１５にて円偏光に変換される。変換された円偏光は、コリメートレンズ１６を通過した後、第１立ち上げミラー１７ａで反射される。第１立ち上げミラー１７ａで反射された円偏光は、第１対物レンズ１８ａにより光ディスクＤ（ＤＶＤ）の記録層に集光される。集光された円偏光は記録層で反射され、戻り光Ｒとして第１対物レンズ１８ａを通過する。そして、戻り光Ｒは、第１立ち上げミラー１７ａで反射され、コリメートレンズ１６を通過した後、１／４波長板１５で円偏光から直線偏光（Ｓ偏光、Ｐ偏光）に変換される。変換された戻り光Ｒは、偏光ビームスプリッタ１４、ビームスプリッタ１３を通過した後、ホログラム素子２０及びシリンドリカルレンズ２１からなるセンサー光学系を介してフォトディテクタ２２に至る。
【００４０】
次に、ＢＤ用の光路について説明する。第２半導体レーザ素子１１ｂからＢＤ用のレーザ光が出射され、ＢＤ用のレーザ光のＳ偏光（又はＰ偏光）が偏光ビームスプリッタ１４にて反射される。反射されたＳ偏光は、１／４波長板１５にて円偏光に変換される。変換された円偏光は、コリメートレンズ１６及び第１立ち上げミラー１７ａを通過した後、第２立ち上げミラー１７ｂで反射される。第２立ち上げミラー１７ｂで反射された円偏光は、第２対物レンズ１８ｂにより光ディスクＤ（ＢＤ）の記録層に集光される。集光された円偏光は記録層で反射され、戻り光Ｒとして第１対物レンズ１８ａを通過する。そして、戻り光Ｒは、第２立ち上げミラー１７ｂで反射され、第１立ち上げミラー１７ａ及びコリメートレンズ１６を通過した後、１／４波長板１５で円偏光から直線偏光（Ｓ偏光、Ｐ偏光）に変換される。変換された戻り光Ｒは、偏光ビームスプリッタ１４及びビームスプリッタ１３を通過した後、ホログラム素子２０及びシリンドリカルレンズ２１からなるセンサー光学系を介してフォトディテクタ２２に至る。
【００４１】
このように、ＤＶＤ用及びＢＤ用の光路では、各レーザ光が光ディスクＤへと導かれる往路において、偏光ビームスプリッタ１４、１／４波長板１５、コリメートレンズ１６、及び第１立ち上げミラー１７ａが共用されている。また、各レーザ光の戻り光Ｒがフォトディテクタ２２に至る復路において、第１立ち上げミラー１７ａ、コリメートレンズ１６、１／４波長板１５、偏光ビームスプリッタ１４、ビームスプリッタ１３、ホログラム素子２０、及びシリンドリカルレンズ２１が共用されている。
【００４２】
次に、ホログラム素子２０に入射する各レーザ光の戻り光Ｒについて説明する。光ディスクＤの記録層では、トラックが同心円状又は螺旋状に形成されている。このトラックは、光ディスクＤに入射する光に対して回折格子として作用する。このため、光ディスクＤの記録層で反射される戻り光Ｒは、０次光及び±１次光などに分光された後に、ホログラム素子２０に入射する。
【００４３】
図３は、ホログラム素子に入射する戻り光の状態を示す概略平面図である。図３は、３層の記録層を有するＢＤＸＬの記録層Ｌ１に集光されたＢＤ用のレーザ光の戻り光Ｒを示している。３層のＢＤＸＬでは、その基板上に設けられる各記録層は、最も基板側に設けられる記録層から光入射表面に向かう順に、Ｌ０、Ｌ１、Ｌ２と呼ばれる。図３の例では、光ディスクＤの記録層Ｌ１にレーザ光が集光されているため、記録層Ｌ１が本発明の第１記録層の一例となり、記録層Ｌ０が本発明の第２記録層の一例となり、記録層Ｌ２は本発明の第３記録層の一例となる。なお、光ディスクＤの記録層Ｌ０にレーザ光が集光される場合には、記録層Ｌ０が本発明の第１記録層の一例となり、記録層Ｌ１及びＬ２が本発明の第３記録層の一例となる。また、光ディスクＤの記録層Ｌ２にレーザ光が集光される場合には、記録層Ｌ２が本発明の第１記録層の一例となり、記録層Ｌ０及びＬ１が本発明の第２記録層の一例となる。
【００４４】
図３に示すように、ホログラム素子２０に入射する戻り光Ｒでは、０次光の一部が±１次光と重なっている。以下では、戻り光Ｒのうち、０次光に±１次光が重ならない光束を第１戻り光Ｒ１と呼び、０次光と±１次光とが重なる光束を第２戻り光Ｒ２と呼ぶ。ホログラム素子２０には、第１戻り光Ｒ１と、２つの第２戻り光Ｒ２とが入射する。
【００４５】
戻り光Ｒの中央に存在する第１戻り光Ｒ１（図３では２つの斜線部に挟まれた部分）は、０次光は含むが±１次光は含まない光束であり、光ディスクＤの反射率に応じた光量を示す領域である。すなわち、この光束は、光ディスクＤに入射する光がトラックを横切る際に発生する交流信号（トラック横断信号）成分を含まず、たとえば第１又は第２対物レンズ１８ａ、１８ｂのレンズシフト等に起因して発生するオフセット成分を含む光束に該当する。一方、戻り光Ｒの中央両端部側に存在する２つの第２戻り光Ｒ２（図３では斜線を施した部分）は、０次光及び±１次光を含む光束であり、トラック横断信号成分を含む光束に該当する。
【００４６】
なお、図３では、戻り光Ｒ（特に第２戻り光Ｒ２）が、レンズシフト方向Ｘに対応する方向Ｘ１に対して左回り（反時計回り）に傾いているが、これは第２対物レンズ１８ｂが光ディスクＤの回転中心Ｏを通る基準面Ａからタンジェンシャル方向にずれた位置に配置されているためである（図２参照）。また、方向Ｘ１は、第１又は第２対物レンズ１８ａ、１８ｂがトラッキング方向（レンズシフト方向Ｘ）に移動（レンズシフト）された場合に、ホログラム素子２０の光入射表面上において、戻り光Ｒが移動する方向である。
【００４７】
また、３層のＢＤＸＬの記録層Ｌ１に集光されたレーザ光は、記録層Ｌ１だけでなく、記録層Ｌ０及び記録層Ｌ２でも反射される。これらの反射光は迷光としてホログラム素子２０に入射する。以下では、レーザ光が集光される記録層Ｌ１よりもＢＤＸＬの光入射表面から遠い位置（すなわち基板側）に設けられる記録層Ｌ０からホログラム素子２０に入射する迷光を第１迷光ＳＬ１と呼ぶ。また、記録層Ｌ１よりもＢＤＸＬの光入射表面に近い位置（すなわち光入射表面側）に設けられる記録層Ｌ２からホログラム素子２０に入射する迷光を第２迷光ＳＬ２と呼ぶ。図３に示すように、第１迷光ＳＬ１は、ホログラム素子２０の光入射表面上において、記録層Ｌ１から反射される第１戻り光Ｒ１の入射領域の一部であるとともに、戻り光Ｒの光軸と交差する位置を含む領域に入射する。また、第２迷光ＳＬ２は、ホログラム素子２０の光入射表面上において、記録層Ｌ１から反射される戻り光Ｒが入射する領域を全て含む領域に入射する。
【００４８】
次に、ホログラム素子２０について詳細に説明する。図４は、本実施形態のホログラム素子の構成例を示す概略平面図である。なお、図４では、ホログラム素子２０と、戻り光Ｒ、第１迷光ＳＬ１、及び第２迷光ＳＬ２との関係を理解し易くするために、戻り光Ｒ、第１迷光ＳＬ１、及び第２迷光ＳＬ２を破線で示している。また、図４は、第２対物レンズ１８ｂによって集光されたＢＤ用のレーザ光が３層のＢＤＸＬの記録層Ｌ１のトラックの中心に当たって反射されたことを想定した図となっている。
【００４９】
図４に示すように、ホログラム素子２０は、回折部２０１及び遮光部２０２を有している。回折部２０１は、ＢＤＸＬからの戻り光Ｒを回折し、その回折光をフォトディテクタ２２の受光面に入射させるための回折パターンが形成された領域である。この回折部２０１は第１回折部２０１ａと２つの第２回折部２０１ｂとを含んで構成されている。第１及び第２回折部２０１ａ、２０１ｂに形成される回折パターンは、たとえば、矩形の回折溝から成るレリーフ格子、鋸歯状の回折溝から成るブレーズド格子などを用いて形成されている。
【００５０】
第１回折部２０１ａは、情報の読み取り処理又は書き込み処理が行われる記録層Ｌ１で反射された戻り光Ｒの０次光の一部、及び戻り光Ｒの±１次光を回折する。具体的に説明すると、第１回折部２０１ａは、第１戻り光Ｒ１（図３の２つの斜線部分に挟まれた部分）の一部と第２戻り光Ｒ２（図３の２つの斜線部分）とが入射するように形成される。入射した光の０次回折光はフォトディテクタ２２の主受光部２２１に受光される。また、第１回折部２０１ａに形成された回折溝により、±１次回折光は、フォトディテクタ２２の主受光部２２１及び２つの副受光部２２２の各受光面以外の領域に入射する（後述の図５参照）。
【００５１】
第２回折部２０１ｂは、記録層Ｌ１で反射された戻り光Ｒの０次光の残りの一部を回折する。具体的に説明すると、第２回折部２０１ｂは、第１戻り光Ｒ１の残りの一部が入射するように形成される。入射した光の０次回折光はフォトディテクタ２２の主受光部２２１に受光される。また、第２回折部２０１ｂに形成された回折溝により、±１次回折光はそれぞれフォトディテクタ２２の各副受光部２２２に受光される（後述の図５参照）。２つの第２回折部２０１ｂは、図４において方向Ｘ１の直交方向Ｙ１から左回り（反時計回り）に傾いた方向に、第１回折部２０１ａを挟んで並列配置されている。
【００５２】
遮光部２０２は、多層構造の光ディスクＤ（たとえば３層のＢＤＸＬ）において、レーザ光が集光される記録層（たとえば記録層Ｌ１）以外の記録層（たとえば記録層Ｌ０及びＬ２）から反射される迷光を遮光するための遮光パターンが形成された領域である。この遮光部２０２は、第１遮光部２０２ａと第２遮光部２０２ｂとを含んで構成されている。
【００５３】
第１遮光部２０２ａは、情報の読み取り又は書き込みが行われる記録層（たとえば記録層Ｌ１）よりもＢＤＸＬの光入射表面から遠い側に設けられた記録層（たとえば記録層Ｌ０）から反射される第１迷光ＳＬ１を遮光するために設けられる。これにより、第１迷光ＳＬ１をフォトディテクタ２２に入射させないようにしている。また、第１遮光部２０２ａは第１回折部２０１ａ内に形成される略矩形状の遮光パターンである。第１遮光部２０２ａの方向Ｙ１の幅は、ホログラム素子２０の表面上の第１迷光ＳＬ１の方向Ｙ１のサイズ以上となっている。また、第１遮光部２０２ａの長手方向は第２対物レンズ１８ｂのレンズシフト方向Ｘに対応する方向Ｘ１と略平行となっている。こうすれば、第２対物レンズ１８ｂのレンズシフトに伴って第１迷光ＳＬ１が移動しても、第１遮光部２０２ａにより、第１迷光ＳＬ１がフォトディテクタ２２に入射しないようにすることができる。
【００５４】
第２遮光部２０２ｂは、情報の読み取り又は書き込みが行われる記録層（たとえば記録層Ｌ１）よりもＢＤＸＬの光入射表面に近い側に設けられた記録層（たとえば記録層Ｌ２）から入射する第２迷光ＳＬ２を遮光するために設けられる。これにより、第２迷光ＳＬ２を少なくともフォトディテクタ２２の副受光部２２２（後述の図５参照）に入射させないようにしている。また、第２遮光部２０２ｂは、図４に示すように、戻り光Ｒがホログラム素子２０に入射する方向から見た平面視において、菱形形状（又は正方形状）の領域の外側領域に形成された遮光パターンである。
【００５５】
第１及び第２遮光部２０２ａ、２０２ｂは、たとえば、金属材料（Ａｌなど）、誘電体材料、不透明材料、光吸収材料を用いて形成されている。また、第１及び第２遮光部２０２ａ、２０２ｂは、たとえば、上述の材料を塗布又は蒸着する方法、シートの貼り付けなどの方法により形成することができる。或いは、第１及び第２遮光部２０２ａ、２０２ｂに対応するホログラム素子２０の部分を上述の材料を用いて形成してもよい。なお、第１及び第２遮光部２０２ａ、２０２ｂの形状は図３に限定されない。第１及び第２遮光部２０２ａ、２０２ｂがとり得る形状については後に詳しく説明する。
【００５６】
次に、フォトディテクタ２２について詳細に説明する。図５は、本実施形態のフォトディテクタの構成例を示す概略平面図である。なお、図５では、フォトディテクタ２２と入射する回折光との関係を理解し易くするために、単層タイプのＢＤにおいて、ＢＤ用のレーザ光が記録層のトラックの中心に当たって反射されたことを想定した図としている。また、図５では、戻り光Ｒの回折光を実線で示している。
【００５７】
図５に示すように、フォトディテクタ２２は、主受光部２２１と、同一形状及び同一サイズの２つの副受光部２２２とを含んで構成される。２つの副受光部２２２は、主受光部２２１を挟んで、レンズシフト方向Ｘに対応する方向Ｘ２に対して斜めの方向に並んで配置されている。なお、方向Ｘ２は、第１又は第２対物レンズ１８ａ、１８ｂがトラッキング方向（レンズシフト方向Ｘ）に移動（レンズシフト）された場合に、フォトディテクタ２２の受光面に形成される光スポットが移動する方向である。
【００５８】
主受光部２２１は、第１回折部２０１ａ及び第２回折部２０１ｂから入射する各０次回折光を受光し、受光した光に基づいて主受光部信号を生成する。主受光部２２１は、略正方形状の受光領域を、方向Ｘ２及びその直交方向Ｙ２にそれぞれ２等分して得られる４つの分割領域Ｍ１〜Ｍ４を有する。
【００５９】
２つの副受光部２２２は、第２回折部２０１ｂから入射する±１次回折光を受光し、受光した光に基づいて副受光部信号を生成する。なお、この副受光部信号は、第２対物レンズ１８ｂのレンズシフトに起因するオフセット成分を表わしている。また、第１副受光部２２２ａは、略正方形状の受光領域を分割線ＤＬで２等分して得られる２つの分割領域ＢＥ１及びＢＥ２を有し、第２副受光部２２２ｂは、略正方形状の受光領域を分割線ＤＬで２等分して得られる２つの分割領域ＢＦ１及びＢＦ２を有する。また、２つの副受光部２２２は、それぞれ、図５において方向Ｘ２に対して右回り（時計回り）に傾いた状態で配置されている。これは、第２対物レンズ１８ｂが、光ディスクＤの主面に垂直且つラジアル方向に平行な基準面Ａからタンジェンシャル方向にずれた位置に配置されているためである（図２参照）。
【００６０】
図５では、２つの副受光部２２２の分割線ＤＬはそれぞれ、第２対物レンズ１８ｂがレンズシフトされていない場合に、第２回折部２０１ｂから入射する第１戻り光Ｒ１の±１次回折光を２等分する位置に設けられている。このために、以下の演算式（１）により、第２対物レンズ１８ｂのレンズシフトのオフセット成分の影響がキャンセルされたトラッキングエラー信号ＴＥを得ることができる。
【００６１】
ＴＥ＝ＭＰ−ｋ＊ＳＰ
＝((SM1+SM2)-(SM3+SM4))-ｋ*((SBE1−SBE2)+(SBF1−SBF2))      （１）
なお、式（１）のｋは係数である。また、ＭＰは主受光部２２１で生成される主受光部信号であり、ＳＰは２つの副受光部２２２で生成される副受光部信号である。また、式（１）では、主受光部２２１及び２つの副受光部２２２の各分割領域から出力される各光電変換信号は、各分割領域の名前の前に「Ｓ」を付して示されている。
【００６２】
式（１）では、主受光部信号ＭＰと適宜増幅した副受光部信号ＳＰとの差を求めることにより、第２対物レンズ１８ｂのレンズシフトのオフセット成分の影響がキャンセルされたトラッキングエラー信号ＴＥを得ている。
【００６３】
このように、図５では、単層タイプのＢＤにおいてトラッキングエラー信号ＴＥを得る方法を説明した。ところが、複数の記録層を有する光ディスクＤ（たとえば、３層のＢＤＸＬなど）では、主受光部２２１及び２つの副受光部２２２に、情報の読み取り又は書き込みを行う記録層以外から反射される第１迷光ＳＬ１及び第２迷光ＳＬ２も入射する。そのため、トラッキングエラー信号ＴＥに迷光に起因するオフセット成分が発生する。特に、このオフセット成分が副受光部信号ＳＰに発生すると、トラッキングエラー信号ＴＥからレンズシフトのオフセット成分の影響を正確にキャンセルできなくなる。このような迷光の影響を防止するために、本実施形態では、ホログラム素子２０に第１及び第２遮光部２０２ａ、２０２ｂが設けられる。以下に、ホログラム素子２０に第１及び第２遮光部２０２ａ、２０２ｂを設けることの効果について、比較例を挙げて順に説明する。
【００６４】
比較例のホログラム素子２００は、第１及び第２遮光部２０２ａ、２０２ｂを有していないこと以外、本実施形態のホログラム素子２０と同様である。図６は、比較例のホログラム素子の構成を示す概略平面図である。また、図７は、比較例におけるフォトディテクタの受光パターンを示す概略平面図である。なお、図６では、ホログラム素子２００に入射する戻り光Ｒ、第１迷光ＳＬ１及び第２迷光ＳＬ２を破線で示している。また、図６及び図７は、ＢＤ用のレーザ光が３層のＢＤＸＬの記録層Ｌ１に集光されることを想定した図となっている。
【００６５】
比較例では、図６及び図７に示すように、記録層Ｌ０から反射された第１迷光ＳＬ１は、第１回折部２０１ａで回折され、その回折光はフォトディテクタ２２の主受光部２２１及び２つの副受光部２２２の各受光面を全て含む領域に入射する。また、記録層Ｌ３から反射された第２迷光ＳＬ２は、第１回折部２０１ａ及び２つの第２回折部２０１ｂで回折され、その回折光はフォトディテクタ２２の主受光部２２１の受光面の全てと、２つの副受光部２２２の受光面の少なくとも一部と、を含む領域に入射する。なお、第１迷光ＳＬ１及び第２迷光ＳＬ２の回折光は、シリンドリカルレンズ２１を通過した後にフォトディテクタ２２に受光されるため、それらの入射領域は楕円形状となっている。
【００６６】
このように、比較例では、２つの副受光部２２２は第１迷光ＳＬ１及び第２迷光ＳＬ２の回折光を受光する。そのため、比較例では、第１迷光ＳＬ１及び第２迷光ＳＬ２に起因するオフセット成分が副受信部信号ＳＰに発生するため、第２対物レンズ１８ｂのレンズシフトのオフセット成分の影響をトラッキングエラー信号ＴＥから正確にキャンセルできなくなる。
【００６７】
対して、本実施形態のホログラム素子２０では、第１迷光ＳＬ１及び第２迷光ＳＬ２を遮光するための遮光部２０２が設けられる（図４参照）。そのため、これらの迷光がフォトディテクタ２２の主受光部２２１及び２つの副受光部２２２に入射しないようにすることができる。図８は、本実施形態におけるフォトディテクタの受光パターンを示す概略平面図である。なお、図８は、ＢＤ用のレーザ光が３層のＢＤＸＬの記録層Ｌ１に集光されることを想定した図となっている。
【００６８】
本実施形態では、記録層Ｌ０から反射される第１迷光ＳＬ１は第１遮光部２０２ａにて完全に遮光される（図４参照）。そのため、図８に示すように、フォトディテクタ２２には第１迷光ＳＬ１は入射しない。また、記録層Ｌ２から反射される第２迷光ＳＬ２の一部は第２遮光部２０２ｂで遮光される（図４参照）。そのため、第２迷光ＳＬ２の残りの一部の回折光は、フォトディテクタ２２の主受光部２２１には入射するが、少なくとも２つの副受光部２２２には入射しない。従って、第１迷光ＳＬ１及び第２迷光ＳＬ２に起因するオフセット成分がトラッキングエラー信号ＴＥに発生することを防止することができる。よって、第１迷光ＳＬ１及び第２迷光ＳＬ２に起因するオフセット成分の発生を防止し、第２対物レンズ１８ｂのレンズシフトに起因するオフセット成分が取り除かれた良好なトラッキングエラー信号ＴＥを得ることができる。また、主受光部２２１は第１迷光ＳＬ１を受光しないため、トラッキングエラー信号ＴＥの誤差をさらに少なくすることができる。
【００６９】
なお、第２対物レンズ１８ｂがレンズシフト方向Ｘに移動すると、ホログラム素子２０の表面に入射する戻り光Ｒが第２遮光部２０２ｂと重なる場合がある。この場合、戻り光Ｒのうちの第２遮光部２０２ｂと重なった部分は回折されないので、主受光部信号ＭＰや副受光部信号ＳＰの強度が低下する。そのため、ホログラム素子２０とフォトディテクタ２２との間の位置関係には、第２対物レンズ１８ｂのレンズシフトを考慮する必要がある。以下に、ホログラム素子２０とフォトディテクタ２２との間の位置関係を調整する方法について説明する。
【００７０】
図９は、第２対物レンズが一方の方向にレンズシフトしたときのホログラム素子に対する戻り光の入射状態を示す概略平面図である。図１０は、第２対物レンズが他方の方向にレンズシフトしたときのホログラム素子に対する戻り光の入射状態を示す概略平面図である。また、図１１は、第２対物レンズのレンズシフト方向の位置に対する主受光部信号の強度の変化率を示すグラフである。なお、図１１において、位置Ｐ０は、光ピックアップ１を組み立てたときの第２対物レンズ１８ｂの初期位置を示している。また、位置Ｐ１は、図９に示すように、ホログラム素子２０に入射する戻り光Ｒが第２遮光部２０２ｂと重なる直前の第２対物レンズ１８ｂの位置を示している。また、位置Ｐ２は、図１０に示すように、ホログラム素子２０に入射する戻り光Ｒが第２遮光部２０２ｂと重なる直前の第２対物レンズ１８ｂの位置を示している。
【００７１】
まず、第２対物レンズ１８ｂを初期位置Ｐ０からレンズシフト方向Ｘの一方の方向及び他方の方向にそれぞれ移動させ、第２対物レンズ１８ｂのレンズシフト方向Ｘの位置毎の主受光部信号ＭＰを信号処理部２３に計測させる。信号処理部２３は、各レンズシフト位置での主受光部信号ＭＰの強度の変化率を求める。
【００７２】
第２対物レンズ１８ｂが、レンズシフト方向Ｘの位置Ｐ１（図９）又は位置Ｐ２（図１０）を越える位置までレンズシフトすると、ホログラム素子２０に入射する戻り光Ｒが第２遮光部２０２ｂと重なる。すると、戻り光Ｒの０次回折光の一部が欠けるため、主受光部信号ＭＰの強度が小さくなり、図１１に示すようにその変化率が低下する。信号処理部２３は、主受光部信号ＭＰの強度の変化率が所定の閾値（たとえば−１５％）以下となるときの第２対物レンズ１８ｂの位置Ｐ３及びＰ４を検出し、位置Ｐ３及びＰ４の中点となる位置Ｐｃを求める。そして、この位置Ｐｃは、第２対物レンズ１８ｂをレンズシフトさせる際の基準位置として予め設定される。
【００７３】
本実施形態の光ピックアップ１では、たとえば工場出荷時においてこの基準位置Ｐｃを予め求めている。そして、第２対物レンズ１８ｂをレンズシフトさせる際、第２対物レンズ１８ｂを予め設定した基準位置Ｐｃにオフセット移動させることにより、ホログラム素子２０とフォトディテクタ２２との間の位置調整を行っている。こうすれば、レンズシフトの際、第２対物レンズ１８ｂをこの基準位置Ｐｃにオフセット移動させるだけでホログラム素子２０とフォトディテクタ２２との間の位置調整ができる。そのため、ホログラム素子２０のレンズシフト方向Ｘの位置調節が不要となる。従って、ホログラム素子２０の位置調節機構などを設ける必要がないため、光ピックアップ１の構成を簡易化することができる。
【００７４】
なお、この構成では、第２対物レンズ１８ｂがレンズシフトしない場合、第２対物レンズ１８ｂは基準位置Ｐｃにオフセット移動されないので、ホログラム素子２０及びフォトディテクタ２２の位置が調整できていない状態となることがある。しかしながら、光ピックアップ１を装置（たとえばディスク装置など）に組み込んで使用する場合には、光ディスクＤがディスク装置内に装着（ロード）されるごとに毎回、レンズシフトのオフセット調整が行われるため、問題はない。
【００７５】
また、戻り光Ｒと第１及び第２遮光部２０２ａ、２０２ｂとの重なりを抑制するためには、第１及び第２遮光部２０２ａ、２０２ｂの形状も考慮する必要がある。以下に、ホログラム素子２０の第１及び第２遮光部２０２ａ、２０２ｂがとり得る形状について説明する。図１２及び図１３は、本実施形態のホログラム素子の他の構成例を示す概略平面図である。
【００７６】
前述のように、第２遮光部２０２ｂは、第１迷光ＳＬ１及び第２迷光ＳＬ２がフォトディテクタ２２の少なくとも２つの副受光部２２２に入射しない形状であればよい。そのため、図１２のように、戻り光Ｒを挟んでその両側に第２遮光部２０２ｂを設けてもよい。但し、この場合、戻り光Ｒを囲む領域の外側領域に第２遮光部２０２ｂを設ける場合（たとえば図４、図１３参照）と比較して、位置Ｐ１又はＰ２を越える位置に第２対物レンズ１８ｂをレンズシフトさせる際の主受信部信号ＭＰの強度の変化率が小さくなる。
【００７７】
よって、第２遮光部２０２ｂは、戻り光Ｒがホログラム素子２０に入射する方向から見た平面視において、四辺形状、円形状、及び楕円形状のうちのいずれか１つの形状の領域の外側領域に設けることが望ましい。こうすれば、戻り光Ｒが第２遮光部２０２ｂと重なる位置Ｐ１又はＰ２を越えて第２対物レンズ１８ｂがレンズシフトした場合の主受信部信号ＭＰの強度の変化率を大きくすることができる。従って、この変化率が所定の閾値以下となる位置Ｐ３及びＰ４を検出し易くなるため、第２対物レンズ１８ｂをレンズシフトさせる際の基準位置Ｐｃが設定し易くなる。
【００７８】
また、第２遮光部２０２ｂは、２つの対角線のうちの一方がレンズシフト方向Ｘに対応する方向Ｘ１と平行となる平行四辺形状（たとえば正方形状、菱形形状など）の領域の外側領域（図４参照）に設けられるとより望ましい。或いは、長径がレンズシフト方向Ｘに対応する方向Ｘ１と平行となる楕円形状の領域の外側領域（たとえば図１３参照）に設けられてもよい。こうすれば、位置Ｐ１又はＰ２を越えて第２対物レンズ１８ｂがレンズシフトした場合の主受信部信号ＭＰの強度の変化率をより大きくすることができる。従って、第２対物レンズ１８ｂをレンズシフトさせる際の基準位置Ｐｃがより設定し易くなる。
【００７９】
また、第２対物レンズ１８ｂをレンズシフトさせると、第１遮光部２０２ａが第２戻り光Ｒ２と重なることがある。第１戻り光Ｒ１及び第２戻り光Ｒ２はそれぞれ光量が異なるため、第１遮光部２０２ａが第２戻り光Ｒ２と重なると、主受光部信号ＭＰに誤差が生じ、良好なトラッキングエラー信号ＴＥを得ることができなくなる恐れがある。そのため、第１遮光部２０２ａのレンズシフト方向Ｘに対応する方向Ｘ１の幅は、一方の第２戻り光Ｒ２の端（たとえば図４の左側の第２戻り光Ｒ２の右端）と他方の第２戻り光Ｒ２の端（たとえば図４の右側の第２戻り光Ｒ２の左端）との間の方向Ｘ１の最短距離よりも小さく設定される。さらに、この幅は、少なくとも第２対物レンズ１８ｂが位置Ｐ１及び位置Ｐ２にレンズシフトしても、第１遮光部２０２ａが第２戻り光Ｒ２と重ならない程度の長さ以下に設定されることが望ましい。
【００８０】
以上、本発明について実施形態をもとに説明した。この実施形態は例示であり、その各構成要素や各処理の組み合わせに色々な変形が可能であり、本発明の範囲にあることは当業者に理解されるところである。
【００８１】
たとえば、上述の実施形態では、３層のＢＤＸＬで発生する迷光の影響を防止する構成を説明したが、本発明の適用範囲はこの構成に限らない。本発明は、複数の記録層を有する光ディスク（たとえば、２層タイプのＢＤ及びＤＶＤ、３層以上のＢＤＸＬなど）に対して適用可能である。
【００８２】
また、上述の実施形態のホログラム素子２０の各回折部２０１の構成（回折パターン）は一例にすぎず、それらの構成は適宜変更可能である。たとえば、上述の実施形態では、ホログラム素子２０の第２回折部２０１ｂに入射した光の±１次回折光がそれぞれフォトディテクタ２２の各副受光部２２２に受光される構成としたが、本発明の適用範囲はこの構成に限らない。たとえば、±１次回折光の一方がフォトディテクタ２２の２つの副受光部２２２の一方のみに受光される構成であってもよい。
【００８３】
また、上述の実施形態のフォトディテクタ２２の各受光部及びそれらの受光面の構成は一例にすぎず、それらの構成は適宜変更可能である。たとえば、上述の実施形態では、２つの副受光部２２２が、主受光部２２１を挟んで、レンズシフト方向Ｘに対応する方向Ｘ２に対して斜めの方向に並んで配置される構成をとしたが、本発明の適用範囲はこの構成に限らない。たとえば、主受光部２２１及び２つの副受光部２２２が方向Ｘ２に並んで配置される構成であってもよい。
【００８４】
また、上述の実施形態では、第１対物レンズ１８ａと第２対物レンズ１８ｂとが光ディスクＤのタンジェンシャル方向に配置される構成（図２）としたが、本発明の適用範囲はこの構成に限らない。たとえば、第１対物レンズ１８ａと第２対物レンズ１８ｂがラジアル方向に配置される場合等にも本発明は適用可能である。また、光ピックアップ１が備える対物レンズの数が２つ以外の場合にも、本発明は適用可能である。
【００８５】
本発明が適用される光ピックアップ１によって対象となる光ディスクＤの種類は、以上に示した実施形態のものに限定されないのは言うもでもない。また、光ピックアップ１が、ＢＤ及びＤＶＤに加えてＣＤにも対応するような、３種類（場合によっては３以上の種類）の光ディスクＤに対応するものである場合にも、本発明は適用可能である。
【産業上の利用可能性】
【００８６】
本発明は、たとえばＢＤ及びＤＶＤを互換する光ピックアップに対して好適である。
【符号の説明】
【００８７】
１              光ピックアップ
１１ａ            第１半導体レーザ素子
１１ｂ            第２半導体レーザ素子
１２              １／２波長板
１３              ビームスプリッタ
１４              偏光ビームスプリッタ
１５              １／４波長板
１６              コリメートレンズ
１７ａ            第１立ち上げミラー
１７ｂ            第２立ち上げミラー
１８ａ            第１対物レンズ
１８ｂ            第２対物レンズ
１９              フロントモニタフォトディテクタ
２０              ホログラム素子
２０１              回折部
２０１ａ              第１回折部
２０１ｂ              第２回折部
２０２              遮光部
２０２ａ              第１遮光部
２０２ｂ              第２遮光部
２１              シリンドリカルレンズ
２２              フォトディテクタ
２２１              主受光部
２２２              副受光部
２３              信号処理部
Ｒ                戻り光
Ｒ１                第１戻り光
Ｒ２                第２戻り光
ＳＬ１            第１迷光
ＳＬ２            第２迷光
Ｄ                光ディスク
Ｌ０、Ｌ１、Ｌ２    記録層
Ａ                基準面
【図１】
2014044780.tif 000003
【図２】
2014044780.tif 000004
【図３】
2014044780.tif 000005
【図４】
2014044780.tif 000006
【図５】
2014044780.tif 000007
【図６】
2014044780.tif 000008
【図７】
2014044780.tif 000009
【図８】
2014044780.tif 000010
【図９】
2014044780.tif 000011
【図１０】
2014044780.tif 000012
【図１１】
2014044780.tif 000013
【図１２】
2014044780.tif 000014
【図１３】
2014044780.tif 000015